(57)【特許請求の範囲】
【請求項１】
対向一対のガイドレールのそれぞれに両端が案内されるとともに、前記各ガイドレールの長手方向に沿って複数連結される長尺なシャッター部材にて構成されるシャッターカーテンに備えられるシャッター用施錠装置において、
前記シャッター部材（６）の所望の位置に配設されるシリンダ錠（１１）と、
前記シリンダ錠（１１）に連結され、該シリンダ錠（１１）のキー等による回動を助勢する助勢手段（１５）と、
前記シリンダ錠（１１）に連結され、該シリンダ錠（１１）の回動に連動し、前記シャッター部材の長手方向に沿って摺動自在となる杆部材（２２）と、
前記杆部材（２２）の先端に、該先端に対して延出する付勢力を有した付勢部材（３７）を介して設けられ、前記シャッター部材（６）の端部に対して進退する爪部（３５）を備えた係合片（３４）と、
前記ガイドレール内に配設され、前記係合片（３４）の爪部（３５）が係合される係合部と、
を具備し、
前記助勢手段（１５）は、前記シリンダ錠（１１）に配設され該シリンダ錠（１１）の回動とともに回動するピニオン（１６）と、該ピニオン（１６）に噛合するラック部材（１９）と、該ラック部材（１９）に配設され該ラック部材（１９）を常に牽引するようにその摺動を助勢する付勢手段（２１）とで構成され、ラック部材（１９）及び付勢手段（２１）は、互いに相反する方向に摺動自在となるようにそれぞれ一対で構成され、シリンダ錠（１１）の施錠操作の回転方向と同方向の回転力を発生させるとともに、シリンダ錠（１１）の解錠操作の回転方向と逆方向の回転力を発生させる構造になり、
前記ピニオン（１６）は、前記シリンダ錠の回動角度の所定角度間にのみ歯が形成されるように、その中心を挟んだ両側の所定角度間にそれぞれ少数の歯（１７）が突出形成され、この歯（１７）の歯先径と同一の径とされる歯を有さない扇部分（１８）が前記歯（１７）部分の間に形成された部分歯車とされており、該所定角度間にて前記歯（１７）が前記ラック部材と噛合し、前記シリンダ錠（１１）の施錠操作時に、シリンダ錠（１１）の回転操作をその回転中途から、前記助勢手段（１５）により助勢させる構造になることを特徴とするシャッター用施錠装置。
【発明の詳細な説明】
【０００１】
【発明の属する技術分野】
本発明は、スラットなどのシャッター部材にて構成されるシャッターカーテンに備えられ、該シャッターカーテンの閉鎖時における施錠を行うシャッター用施錠装置に関するものである。
【０００２】
【従来の技術】
一般にシャッター装置に備えられる施錠装置は、スラットカーテンを構成する上下方向に複数連結された略短冊形状のスラットの人が操作を行いやすい高さとなるスラットに配設されるとともに、このスラットの幅方向略中間に位置する箇所にシリンダ錠などの錠部が配設され、この錠部の操作により、スラット両端より係合片を突出させる構造となっており、突出したこれら係合片が、スラットカーテンの昇降を案内するガイドレール内の係合凹部に係合し、これによりスラットカーテンが施錠されるようになっている。
【０００３】
この施錠装置の錠部は、屋内側にはサムターンが配設され、屋外側にはキーの差し込み口が形成されており、屋内側からはサムターンによる回動操作、屋外側からはキーによる回動操作となっている。
【０００４】
【発明が解決しようとする課題】
しかしながら、上述した従来の施錠装置では、錠部の操作によってスラット両端より突出する係合片が、ガイドレール内の係合凹部と合致せずに噛み合わない場合があることから、この係合片の中途部には圧縮バネが介設されており、錠部の操作にて係合凹部と係合片とが噛み合わない際には、この圧縮バネにて係合片が縮退できるようになり、かつ、この縮退により所定の付勢力が発生するように設定され、係合片が係合凹部に係合しようとする付勢力となるとともに、係合凹部に係合片が係合された状態であっても、常にその係合状態を保とうとする付勢力が発生するようになっている。
【０００５】
このことから、錠部の操作時、すなわち施錠時には、前記圧縮バネによる付勢力に抗する力にて回動操作を行わなければならず、また、解錠時には、圧縮バネによる付勢力にて錠部が急激に復帰しようとする動作となり、この従来の施錠装置では、錠部の操作を慎重に行う必要があり、この錠部の操作が行いやすい施錠装置が望まれていた。
【０００６】
そこで本発明は、上記問題点を解消するために、操作性が向上し、施錠及び解錠を容易に行うことの可能なシャッター用施錠装置を提供することを目的としている。
【０００７】
【課題を解決するための手段】
次に、上記の課題を解決するための手段を、実施の形態に対応する図面を参照して説明する。
この発明のシャッター用施錠装置１０は、対向一対のガイドレール７のそれぞれに両端が案内されるとともに、前記各ガイドレール７の長手方向に沿って複数連結される長尺なシャッター部材６にて構成されるシャッターカーテン５に備えられるシャッター用施錠装置において、
前記シャッター部材６の所望の位置に配設されるシリンダ錠１１と、
前記シリンダ錠１１に連結され、該シリンダ錠１１のキーやサムターン１３等による回動を助勢する助勢手段１５と、
前記シリンダ錠１１に連結され、該シリンダ錠１１の回動に連動し、前記シャッター部材６の長手方向に沿って摺動自在となる杆部材２２と、
前記杆部材２２の先端に、該先端に対して延出する付勢力を有した付勢部材３７を介して設けられ、前記シャッター部材６の端部６ａに対して進退する爪部３５を備えた係合片３４と、
前記ガイドレール７内に配設され、前記係合片３４の爪部３５が係合される係合部８と、
を具備している。
【０００８】
さらに、前記助勢手段１５は、前記シリンダ錠１１に配設され該シリンダ錠１１の回動とともに回動するピニオン１６と、該ピニオン１６に噛合するラック部材１９と、該ラック部材１９に配設され該ラック部材１９の摺動を助勢する付勢手段２１とで構成される構造とされている。
【０００９】
前記助勢手段１５を構成するラック部材１９及び付勢手段２１は、互いに相反する方向に摺動自在となるようにそれぞれ一対で構成され、シリンダ錠１１の施錠操作の回転方向と同方向の回転力を発生させるとともに、シリンダ錠１１の解錠操作の回転方向と逆方向の回転力を発生させることを特徴としている。
前記ピニオン１６は、前記シリンダ錠の回動角度の所定角度間にのみ歯が形成されるように、その中心を挟んだ両側の所定角度間にそれぞれ少数の歯１７が突出形成され、この歯１７の歯先径と同一の径とされる歯を有さない扇部分１８が前記歯１７部分の間に形成された部分歯車とされており、該所定角度間にて前記歯１７が前記ラック部材と噛合し、前記シリンダ錠１１の施錠操作時に、シリンダ錠１１の回転操作をその回転中途から、前記助勢手段１５により助勢させる構造とされている。
【００１０】
このような構成により、シャッターカーテン５の施錠の際は、キーやサムターン１３等にてシリンダ錠１１を回転させると、付勢部材３７の付勢力に抗する力にて行われるその回転操作が、助勢手段１５の付勢手段２１の付勢力によって、施錠操作の回転方向と同方向の回転力を発生させ助勢することとなり、付勢部材３７の付勢力が略相殺されて、このシリンダ錠１１の回転操作に大きな力を必要とせずに容易なものとなって、施錠の操作性が向上し、これにより、係合片３４の爪部３５がガイドレール７内の係合部８に係合し、施錠となる。
【００１１】
また、解錠の際には、付勢部材３７の付勢力にて発生するシリンダ錠１１に対する急激な復帰方向の回転が、助勢手段１５によって、解錠操作の回転方向と逆方向の回転力をシリンダ錠１１に対して発生させ助勢することとなり、上記同様に付勢部材３７の付勢力が略相殺されて、このシリンダ錠１１の回転操作が行い易くなり、解錠の操作性が向上し、これにより係合片３４が係合部８より後退して解錠となる。
【００１２】
そして、助勢手段１５を構成するピニオン１６の形状を所定角度間にのみ歯１７が形成されている部分歯車とすることで、ラック部材１９との噛合が、その所定角度間でのみとなり、これにより助勢手段１５が作用するタイミングを、係合片３４に備えられる付勢部材３７の作用するタイミングと合わせることができ、助勢作用を有効に発生させることとなる。
【００１３】
【発明の実施の形態】
図１は本発明によるシャッター用施錠装置が備えられるシャッターの正面図、図２は同シャッター用施錠装置の実施の形態を示す一部裁断正面図である。
【００１４】
はじめに、本発明のシャッター用施錠装置１０が備えられるシャッター装置１について説明する。
このシャッター装置１は、図１に示すように、建物の開口２等の上縁にシャッターケース３が水平に設けられ、このシャッターケース３内に回動自在に設けられている巻取軸４にシャッターカーテン５が連結されている。
【００１５】
このシャッターカーテン５は、長尺な短冊状に形成されるシャッター部材としてのスラット６が複数連結された構造とされている。
【００１６】
そして、シャッターケース３の下縁に接続される対向した左右一対のガイドレール７，７内に、これらスラット６の両端部６ａが挿入されて上下方向の移動を案内され、巻取軸４によってシャッターカーテン５が巻き上げ，巻き戻しが行われることで、このシャッターカーテン５の昇降、すなわち開閉が行われるようになっている。
【００１７】
また、図２に示すように、このシャッターカーテン５の両端縁部５ａを支持し昇降を案内する各ガイドレール７，７の奥方に位置する垂直な底面部には、後述する施錠装置１０の係合片が係合する複数の係合部８が略櫛歯状に連続して設けられている。
【００１８】
さて、上記のような構成のシャッター装置１に設けられる本発明のシャッター用施錠装置１０は、図１に示すように、上下方向に複数連結された各スラット６の、シャッターカーテン５閉鎖時における操作の行いやすい高さ位置に配設される。
【００１９】
この施錠装置１０は、図１及び図２に示すように、スラット６の長手方向である左右幅方向に沿って設けられ、シリンダ錠１１と、助勢手段１５と、杆部材２２と、係合片３４とで大略構成されている。
【００２０】
シリンダ錠１１は、一端に鍵穴１２が形成され、他端にサムターン１３が形成された短尺な略円筒状の錠とされている。
このシリンダ錠１１は、矩形箱型のケース１４内の略中央に、両端がケース１４外に表出するように固設されている。
【００２１】
そして、このケース１４はスラット６の裏面（屋内側）に固設され、シリンダ錠１１の一端の鍵穴１２がスラット６の屋外側となる外側面に表出するようになり、屋内側がサムターン１３となるよう設けられる（図３参照）。
【００２２】
なお、このシリンダ錠１１の配設される位置は、図１に示すように、スラット６の長手方向である左右幅方向の略中間位置とされる。
【００２３】
次に、助勢手段１５は、ピニオン１６と、ラック部材１９と、付勢手段２１とで構成されている。
ピニオン１６は、前記シリンダ錠１１と一体に設けられており、本実施の形態では、図４に示すように、中心を挟んだ両側の所定角度間にそれぞれ少数の歯１７が形成されるとともに、この歯１７の歯先径と同一の径とされる歯を有さない扇部分１８が前記各歯１７部分の間に形成される部分歯車とされている。
【００２４】
また、ラック部材１９は、一対で構成され、杆状の本体に、前記ピニオン１６に対応した少数の歯２０のみが突出形成され、このピニオン１６の両側に互いに対向するように配設され、前記ケース１４内を摺動できるようになっている。
【００２５】
付勢手段２１は、一対の引張コイルバネよりなり、一端がラック部材１９の端部１９ａに連結され、他端がケース側部１４ａ，１４ｂに連結されており、ラック部材１９を常に牽引する付勢力を有している。
【００２６】
すなわち、この助勢手段１５は、ピニオン１６を中心に各ラック部材１９が、図４中上下に位置して配設されるとともに、各ラック部材１９の上部ラック部材１９はケース右側部１４ａと引張コイルバネ２１にて連結され、下部ラック部材１９はケース左側部１４ｂと引張コイルバネ２１にて連結されており、ピニオン１６が回動してラック部材１９に噛合すると、各ラック部材１９，１９が互いに相反する方向に摺動するようになっている。
【００２７】
次に、杆部材２２は、図５に示すように、連動部２３と、杆本体２９とで構成されている。
まず、連動部２３は、歯車２４と、ラック板２７とで構成されている。
【００２８】
歯車２４は、前記ピニオン１６と重合され略一体に連結されるように前記シリンダ錠１１に設けられている。
この歯車２４に形成される歯２５は、図５に示すように、その形状が、先端が略四角形状に膨出形成されており、本実施の形態では、互いに等間隔となって、すなわち９０°間隔で四本の歯２５が設けられているとともに、各歯２５の中間に位置して一対となる略楔形状の歯２６が設けられている。
【００２９】
また、ラック板２７は、左右一対で構成されており、それぞれ略短冊矩形状で、長手方向に沿う一方の縁部に、図５に示すように、略矩形状の凹部と略台形状の凸部を組み合わせたラック歯２８が形成されている。
そして、これらラック板２７は、歯車２４を挟んで互いに対向し、この歯車２４に両側から噛合するとともに、前記ケース１４内にて、前記ラック部材１９と略重合するように配設され（図３参照）、このケース１４内を互いに相反する方向に摺動自在とされている。
【００３０】
次に、杆本体２９は、左右一対で構成された長尺な杆状部材で、各基端が、クランク状に形成された屈曲部３０を介して前記各ラック板２７にそれぞれ連結されて一体形成され、ケース１４の左右両側部から延出するようになっており、各先端２９ａがスラット６の左右端部６ａ方向にそれぞれ延出するように、スラット６の裏面に沿ってその長手方向に摺動自在となるように配設されている。
【００３１】
また、この杆本体２９の先端２９ａには、スリット状のスライド溝３１が長手方向に沿って形成されているとともに、このスライド溝３１の基端側に規制片３２が突設されている。
そして、この杆本体２９の先端２９ａは、図６に示すように、スラット６の端部６ａにおいてガイドブラケット３３によって支持され、このガイドブラケット３３内を摺動するようになっている。
【００３２】
次に、係合片３４は、やや短尺な略短冊板形状で、先端に二股形状の爪部３５が設けられ、基端には規制凸部３６が突設されている。
そして、この係合片３４は、その基端側が、図６に示すように、前記杆本体２９の先端２９ａ部分と重合状態でガイドブラケット３３内に配設されるとともに、係合片３４の規制凸部３６が杆本体先端２９ａのスライド溝３１内を摺動するように配設され、かつ、係合片３４の規制凸部３６と、この規制凸部３６に対向する規制片３２との間に付勢部材としての圧縮コイルバネ３７が介設されている。
【００３３】
次に、上述した施錠装置１０による施解錠の操作の説明をする。
まず、シャッターカーテン５の開閉動作時においては、施錠装置１０は動作されずに、すなわち図２に示すように、スラット両端６ａの各係合片３４がこれら両端部６ａより後退した解錠状態となっており、ガイドレール７内におけるシャッターカーテン５の移動軌跡上には突出せず、このシャッターカーテン５の昇降移動を妨げることはない。
【００３４】
この解錠状態では、図４に示すように、助勢手段１５を構成する各ラック部材１９の歯２０とピニオン１６の歯１７とが噛み合わずに、ピニオン１６の扇部分１８の外周がラック部材１９本体に当接した状態となっているとともに、このピニオン１６の扇部分１８にラック部材１９の歯２０が係合し、ラック部材１９の引張コイルバネ２１による摺動が規制された状態となっている。
なお、この解錠状態において、本実施の形態では、シリンダ錠１１の鍵穴１２及びサムターン１３は、図４に示すように、垂直となっている。
【００３５】
次に、シャッターカーテン５を閉鎖し、施錠する際には、シャッターカーテン５の屋外側からキーをシリンダ錠１１に差し込むか、屋内側からサムターン１３を摘んで、シリンダ錠１１を、本実施の形態では図７に示すように時計回り方向に回転させる。
【００３６】
すると、このシリンダ錠１１に連結された杆部材２２を構成する連動部２３の歯車２４と、助勢手段１５を構成するピニオン１６とがシリンダ錠１１とともに回転を始め、この回転に伴い、連動部２３の歯車２４の回転によって両ラック板２７が互いに相反する外方向に摺動を始め、各杆部材先端２２の係合片３４がスラット６の両端６ａから突出を始め、また、図７（ａ），（ｂ）に示すように、ピニオン１６は両ラック部材１９と噛み合わずに扇部分１８にて図中時計回り方向に空回りを行う（図中矢線）。
【００３７】
さらに回転が進み、本実施の形態では図７（ｃ）に示すように鍵穴１２及びサムターン１３が９０°回転した状態となると、連動部２３の歯車２４の回転により、両ラック板２７を介して、各杆部材２２先端の係合片３４がスラット端部６ａより所定長さ突出する。
この突出した係合片３４のスラット端部６ａよりの所定長さは、ガイドレール７内のスラット端部６ａから係合部８までの距離と同等であり、すなわち、この時に両係合片３４は、その先端の爪部３５がガイドレール７内にて係合部８と係合となる。
【００３８】
そして、さらにキー又はサムターンによる回転が進むと、シリンダ錠１１に連動連結された杆本体２９が、ラック板２７を介してさらに進出方向に摺動し、これにより係合部８に係合されている係合片３４に対して、さらに杆本体２９が進出方向に摺動することになり、この杆本体２９の摺動距離長さ分、圧縮コイルバネ３７が圧縮されることでこの距離（長さ）が吸収され、すなわち、杆本体２９の先端２９ａに対して係合片３４が後退し、係合片３４を杆本体２９に対して常に突出しようとする付勢力を圧縮コイルバネ３７が発生させて、係合部８との係合状態をさらに確実なものとするようになる。
【００３９】
同時に、シリンダ錠１１の回転に伴い、助勢手段１５のピニオン１６が、図７（ｃ），（ｄ）に示すように、ラック部材１９との噛合を開始する。
すると、ラック部材１９に連結されている引張コイルバネ２１の引張付勢力が働き、ラック部材１９を摺動移動させようとする力が発生し、この摺動によりこのラック部材１９に噛合するピニオン１６の回転を助勢する。
【００４０】
すなわち、引張コイルバネ１９によって、シリンダ錠１１の回転動作を、中途からその回転動作と同方向の回転力を発生させて助勢することとなり、これにより、前述した係合片３４を突出させようとする圧縮コイルバネ３７の付勢力によるシリンダ錠１１に対する回転動作の反発力を略相殺するように弱め、このシリンダ錠１１の回転を容易なものとする。
【００４１】
そして、シリンダ錠１１は、図７（ｅ）及び図１０に示すように、解錠状態からキー等により１８０°回転され、施錠動作が終了となり、キーを用いた場合は、キーを抜き、施錠状態となる。
【００４２】
この施錠状態においては、図８及び図９に示すように、両係合片３４が、各ガイドレール７内の係合部８に係合状態となっているとともに、この係合状態を維持しようとする圧縮コイルバネ３７の付勢力が発生しているので、左右ガイドレール７間にてスラット６を左右幅方向に揺動させても、これら係合状態が解かれることがなく、施錠状態を維持する。
【００４３】
なお、この動作時において、杆部材２２を構成する連動部２３の歯車２４及びこの歯車２４と噛み合う各ラック板２７の各歯２５，２８の形状が、それぞれ略矩形状に形成されていることから、歯車２４の回転によって各ラック板２７を摺動させることは可能となるが、各ラック板２７の摺動によって歯車２４は回転しないようになっており、すなわち、シリンダ錠１１の回転を停止すると、各ラック板２７はその位置にて留まるようになっており、これにより、係合片３４と係合部８との係合状態である施錠状態は維持される。
【００４４】
また、この施錠時に、シャッターカーテン５が完全な閉鎖状態とされていない場合などに、進出した各係合片３４の爪部３５が、ガイドレール７内の係合部８と上下方向に位置ズレを起こし、正確に係合されない状態となる場合があるが、各係合片３４と杆本体２９との間に圧縮コイルバネ３７が介設されているので、杆本体２９及びスラット６の端部６ａに対して進出が不完全となってしまう係合片３４は、突出しようとする付勢力を有した状態で後退となり、他の各部の動作が中途で抑止されてしまうことはなく、この圧縮コイルバネ３７により常に係合を行おうとする付勢力を有していることから、施錠操作後にシャッターカーテン５を上下に動かせば、各係合片３４の爪部３５が各係合部８に係合されることとなる。
【００４５】
次に、施錠装置１０を解錠するには、シリンダ錠１１にキーを差し込み、若しくはサムターン１３を摘まみ、前記施錠時とは逆の方向に、本実施の形態では図７（ｅ）に示す矢線のように反時計回り方向に回転させる。
【００４６】
すると、このシリンダ錠１１に連結された杆部材２２を構成する連動部２３の歯車２４と、助勢手段１５を構成するピニオン１６とがシリンダ錠１１とともに回転を始め、この回転に伴い、連動部２３の歯車２４の回転によって両ラック板２７が互いに相反する内方向に摺動を始め、また、ピニオン１６は両ラック部材１９と噛み合い図７中反時計回り方向に回転を始める。
【００４７】
このとき、ラック板２７の摺動に従い、両杆本体２９が互いに内方向に摺動を始めるが、係合片３４との間に介設され施錠時に圧縮された圧縮コイルバネ３７の付勢力により、これら杆本体２９は摺動に速度が加わって摺動し、各ラック板２７を介して歯車２５の回転を速めようとする。
【００４８】
ところが同時に、各ラック部材１９に連結された引張コイルバネ２１によって、その引張力がこれに噛合するピニオン１６の回転を規制させるように、別言するとピニオン１６を逆の方向（時計回り方向）に回転させるように生じ、前記歯車２５の回転速度が略相殺されるよう助勢し、シリンダ錠１１の回転、すなわち、キー若しくはサムターン１３の回転を急激なものとすることがない。
【００４９】
さらに、キー又はサムターン１３による回転が進むと、圧縮コイルバネ３７が伸長し、この付勢力が解除され、その後はシリンダ錠１１の回転に伴ってラック板２７を介し、両杆本体２９が摺動し、かつそれぞれの係合片３４が後退を始め、これにより爪部３５が係合部８との係合状態を解かれる。
【００５０】
そして、さらにキー又はサムターン１３による回転が進むと、シリンダ錠１１に連結された杆部材２２が、ラック板２７を介してさらに後退し、係合片３４は係合部８から離脱してスラット端部６ａまで後退し解錠状態となる。
【００５１】
また、杆本体２９及びラック板２７への圧縮コイルバネ３７の付勢力が解除されると同時に、助勢手段１５のピニオンは、ラック部材１９との噛合状態が解かれ（図７（ｃ）参照）、ラック部材１９に連結されている引張コイルバネ２１の付勢力がピニオン１６に伝達されなくなり、ピニオン１６は両ラック部材１９に対して扇部分１８が当接し、すなわち反時計回り方向に空回りを始める。
【００５２】
そして、シリンダ錠１１は、施錠状態から１８０°回転され、解錠動作が終了となり、図２〜６の状態となって、キーを用いた場合は、キーを抜き、解錠となる。
【００５３】
従ってこのように構成されたシャッター用施錠装置１０では、ガイドレール７内の係合部８と係合する係合片３４に備えられ、その係合状態、すなわち施錠状態を維持しようとする付勢部材である圧縮コイルバネ３７の付勢力によって生じる施解錠動作時におけるシリンダ錠１１を回転する動作に反する反発力を、このシリンダ錠１１に連結される助勢手段１５によって、シリンダ錠１１操作時の回転を助勢することが可能となり、その反発力が略相殺されて弱まることとなるので、シリンダ錠１１の回転操作を行い易くすることが可能となる。
【００５４】
すなわち、施錠操作時においては、シリンダ錠１１の回転を、圧縮コイルバネ３７の付勢力に抗する力にて回転操作を行うが、助勢手段１５の付勢手段である引張コイルバネ２１の引張力によって、施錠操作の回転方向と同方向の回転力を発生させ助勢することとなり、圧縮コイルバネ３７の付勢力が略相殺されて、このシリンダ錠１１の回転操作に大きな力を必要とせずに容易なものとし、施錠の操作性が向上することとなる。
【００５５】
また、解錠操作時には、圧縮コイルバネ３７の付勢力にて発生するシリンダ錠１１における急激な復帰方向の回転が、助勢手段１５によって、解錠操作の回転方向と逆方向の回転力をシリンダ錠１１に対して発生させ助勢することとなり、上記同様圧縮コイルバネ３７の付勢力が略相殺されて、このシリンダ錠１１の回転操作を行い易くし、解錠の操作性が向上することとなる。
【００５６】
そして、上述した本実施の形態によれば、助勢手段１５を構成するピニオン１６の形状を所定角度間にのみ歯１７が形成されている部分歯車としたので、ラック部材１９との噛合が、その所定角度間でのみとなり、これにより助勢手段１５が作用するタイミングを、係合片３４に備えられる圧縮コイルバネ３７の作用するタイミングと合わせることができ、助勢作用を有効に発生させることが可能となる。
【００５７】
また、助勢手段１５を構成するラック部材１９と付勢手段である引張コイルバネ２１を、それぞれ一対の構成としたことにより、バランス良くピニオン１６の回転を助勢することができ、かつ、それぞれのバネ力を大きく設定しなくてもよいので、廉価に構成が可能となる。
【００５８】
なお、上述した実施の形態では、助勢手段１５を構成する付勢手段としての引張コイルバネ２１、及び係合片３４と杆部材２２との間に介設される付勢部材としての圧縮コイルバネ３７のそれぞれのバネ力について特に詳述していないが、圧縮コイルバネ３７は、３．５〜４ｋｇｆ／ｃｍ2 とし、引張コイルバネ２１は、この圧縮コイルバネ３７よりやや小さい２．５〜３．５ｋｇｆ／ｃｍ2 と設定するのが好ましい。
【００５９】
また、上述した実施の形態では、杆部材２２をシリンダ錠１１の位置からスラット６の端部６ａに達する長尺な杆状部材にて構成し、スラット端部６ａに位置する先端２９ａに、付勢部材としての圧縮コイルバネ３７と係合片３４とを構成する例について述べたが、杆部材２２を短尺に形成し、上記実施の形態におけるラック板２７を杆本体２９と兼用させ、また、係合片３４を長尺に形成し、これら杆本体２９と長尺な係合片３４との間に圧縮コイルバネ３７を介設し、すなわち、この圧縮コイルバネ３７を前述したケース１４内に構成させる構造としてもよい。
【００６０】
さらに、上述した実施の形態では、杆部材２２を構成する連動部２３の歯車２４とラック板２７とを、略矩形状の歯で２５，２８構成した例について述べたが、これに限定されることはない。
【００６１】
また、付勢部材３７や、助勢手段１５の付勢手段２１についても、それぞれ圧縮コイルバネ，引張コイルバネに限ることはなく、それぞれ適宜組み合わせて構成すればよい。
【００６２】
さらに、上記のような短冊形状のスラット６よりなるシャッター部材ではなく、パネル板状のシャッター部材に構成させても上記効果を得られ、さらには、左右方向に開閉動作が行われる横引きシャッター装置に対しても有効である。
【００６３】
【発明の効果】
以上説明したように本発明によるシャッター用施錠装置では、ガイドレール内の係合部と係合する係合片に備えられ、その係合状態、すなわち施錠状態を維持しようとする付勢部材の付勢力によって生じる施解錠動作時におけるシリンダ錠を回転する動作に反する反発力を、このシリンダ錠に連結される助勢手段によって、シリンダ錠操作時の回転を助勢することとなり、その反発力が略相殺されて弱まることとなり、シリンダ錠の回転操作を行い易くすることができるという効果がある。
【００６４】
すなわち、施錠操作時においては、シリンダ錠の回転を、付勢部材の付勢力に抗する力にて回転操作を行うが、助勢手段の付勢手段の付勢力によって、施錠操作の回転方向と同方向の回転力を発生させ助勢することとなり、これにより付勢部材の付勢力が略相殺されて、このシリンダ錠の回転操作に大きな力を必要とせずに容易なものとすることができ、施錠の操作性が向上することとなる。
【００６５】
また、解錠操作時には、付勢部材の付勢力にて発生するシリンダ錠に対する急激な復帰方向の回転が、助勢手段によって、解錠操作の回転方向と逆方向の回転力をシリンダ錠に対して発生させ助勢することとなり、上記同様付勢部材の付勢力が略相殺されて、このシリンダ錠の回転操作を行い易くし、解錠の操作性が向上することとなる。
【００６６】
なお、助勢手段を構成するピニオンの形状を所定角度間にのみ歯が形成されている部分歯車と構成することで、ラック部材との噛合が、その所定角度間でのみとなり、これにより助勢手段が作用するタイミングを、係合片に備えられる付勢部材の作用するタイミングと合わせることができ、助勢作用を有効に発生させることが可能となる。
【００６７】
また、助勢手段を構成するラック部材と付勢手段とを、それぞれ一対の構成とすることにより、バランス良くピニオンの回転を助勢することができ、かつ、それぞれのバネ力を大きく設定しなくても十分な助勢効果を得られるので、廉価に構成が可能となる。
【図面の簡単な説明】
【図１】本発明によるシャッター用施錠装置が備えられるシャッターの正面図
【図２】同シャッター用施錠装置の一実施の形態を示す一部裁断正面図
【図３】同施錠装置の平面図
【図４】同施錠装置を構成する助勢手段を示す正面図
【図５】図３におけるＶ−Ｖ線断面図
【図６】同施錠装置のシャッター部材端部における平断面図
【図７】（ａ）〜（ｅ）同施錠装置を構成する助勢手段の動作説明図
【図８】同施錠装置の施錠状態を表す正面図
【図９】同施錠状態のシャッター部材端部における平断面図
【図１０】同施錠状態の杆部材の概略平断面図
【符号の説明】
１…シャッター装置
５…シャッターカーテン
６…シャッター部材（スラット）
６ａ…端部
７…ガイドレール
８…係合部
１０…施錠装置
１１…シリンダ錠
１５…助勢手段
１６…ピニオン
１９…ラック部材
２１…付勢手段（引張コイルバネ）
２２…杆部材
３４…係合片
３５…爪部
３７…付勢部材（圧縮コイルバネ）
【図１】
0003674147.tif 000002
【図２】
0003674147.tif 000003
【図３】
0003674147.tif 000004
【図４】
0003674147.tif 000005
【図５】
0003674147.tif 000006
【図６】
0003674147.tif 000007
【図７】
0003674147.tif 000008
【図８】
0003674147.tif 000009
【図９】
0003674147.tif 000010
【図１０】
0003674147.tif 000011